(57)【要約】【課題】  恒温槽内の雰囲気的環境に影響を受けることなく、ユーザが恒温槽内の供試体の操作を長時間行うことができる環境試験用治具を提供する。【解決手段】  内部に配置された供試体（Ｓ）に所定の温度環境及び湿度環境のうち、少なくとも何れか一方を付与可能な箱体（例えば、恒温槽２）を備え、該箱体の壁部（４）に開口部（５）を有する環境試験装置（例えば、複合環境加振機１）に用いられる環境試験用治具（１０）であって、開口部に挿通され、箱体内の供試体を操作するための棒状部材（１１）と、棒状部材を弾性支持し、棒状部材の先端部（１１１）を供試体に対して直交３軸方向に相対的に移動自在とするとともに、箱体内の気密を保持する気密保持手段（例えば、シリンダ２１、メインパッキン２２、ベロフラム２３）と、を備えた。【選択図】  図２
2005127838.tif 000002
【特許請求の範囲】
【請求項１】
内部に配置された供試体に所定の温度環境及び湿度環境のうち、少なくとも何れか一方を付与可能な箱体を備え、該箱体の壁部に開口部を有する環境試験装置に用いられる環境試験用治具であって、
前記開口部に挿通され、前記箱体内の前記供試体を操作するための棒状部材と、
前記棒状部材を弾性支持し、前記棒状部材の先端部を前記供試体に対して直交３軸方向に相対的に移動自在とするとともに、前記箱体内の気密を保持する気密保持手段と、
を備えることを特徴とする環境試験用治具。
【請求項２】
前記気密保持手段は、
前記棒状部材に貫通されるシリンダと、
前記棒状部材と前記シリンダとの間の気密を保持するシール部材と、
内周端部が前記シリンダに気密固定されるとともに、外周端部が前記壁部に気密固定され、前記棒状部材の移動に応じて弾性変形するベロフラムと、
を備えることを特徴とする請求項１記載の環境試験用治具。
【請求項３】
前記気密保持手段は、
前記棒状部材を弾性支持する弾性支持部と、
前記壁部に気密固定され、前記弾性支持部を支持する支持部と、
を備え、
前記棒状部材と前記弾性支持部との間及び前記弾性支持部と前記支持部との間の気密が保持されていることを特徴とする請求項１記載の環境試験用治具。
【請求項４】
前記弾性支持部は、
前記棒状部材に貫通されるシリンダと、
前記棒状部材と前記シリンダとの間の気密を保持するシール部材と、
内周端部が前記シリンダに気密固定されるとともに、外周端部が前記支持部に気密固定され、前記棒状部材の移動に応じて弾性変形するベロフラムと、
を備えることを特徴とする請求項３記載の環境試験用治具。
【請求項５】
前記シリンダは、
前記棒状部材を貫通させるための貫通孔を有する本体部と、
前記本体部の内周面の一部が切り欠かれて形成され、前記シール部材を収容する切欠溝と、
を備え、
前記切欠溝に収容された前記シール部材を押え付けて前記本体部に固定されるシール部材押え板を備えることを特徴とする請求項２又は４記載の環境試験用治具。
【請求項６】
前記箱体の前記開口部に挿入されるとともに、前記棒状部材の前記先端部を移動自在に内包するスリーブ部材を備えることを特徴とする請求項１〜５の何れか一項に記載の環境試験用治具。
【発明の詳細な説明】
【技術分野】
【０００１】
本発明は、温度、湿度等の雰囲気的環境試験を行う環境試験装置に用いられる環境試験用治具に関する。
【背景技術】
【０００２】
従来、電気・電子分野などの比較的小型な部品等から航空・宇宙分野などの比較的大型の製品等について、様々な振動条件の下で振動試験を行わせることにより、部品や製品の耐震性や耐久性を評価する装置として、加振機が知られている（例えば、特許文献１）。かかる加振機としては、温度、湿度等を調整した雰囲気的環境試験を行うための恒温槽と、振動等の物理的環境試験を行うための加振機とを備え、恒温槽で再現した雰囲気的環境と加振機で再現した物理的環境とを組み合わせて各種複合環境を再現して試験する複合環境加振機が知られている。
【０００３】
ところで、この複合環境加振機において、恒温槽内に設置された供試体を移動させたり、随時操作が必要な場合がある。
そこで、特許文献１記載の複合環境加振機は、恒温槽の開口部にシールした状態で恒温槽内に挿入される耐熱性のシリコンゴム手袋を備え、ユーザがそのシリコンゴム製の手袋を恒温槽内で着用することにより、試験中に供試体を移動させたり、操作することができるようになっている。
【特許文献１】特開２００３−１９４６６４号公報
【発明の開示】
【発明が解決しようとする課題】
【０００４】
しかしながら、上記構成の複合環境加振機を用いる環境試験において、供試体の移動或いは操作を行う場合には、ユーザが試験中に恒温槽内に両手を挿入することとなるので、供試体の操作を長時間行う場合、高温試験時においては熱さに耐えることができず、また低温試験時においては凍傷になるおそれがある。また、恒温槽内に挿入されるシリコンゴム製の手袋も耐熱温度に限界があるため、高温環境下或いは低温環境下において供試体の操作を長時間行うことは困難であるという問題点があった。
【０００５】
そこで、本発明の課題は、恒温槽内の雰囲気的環境に影響を受けることなく、ユーザが供試体の操作を長時間行うことができる環境試験用治具を提供することである。
【課題を解決するための手段】
【０００６】
上記課題を解決するために、請求項１記載の発明は、例えば図２に示すように、
内部に配置された供試体（Ｓ）に所定の温度環境及び湿度環境のうち、少なくとも何れか一方を付与可能な箱体（例えば、恒温槽２）を備え、該箱体の壁部（４）に開口部（５）を有する環境試験装置（例えば、複合環境加振機１）に用いられる環境試験用治具であって、
前記開口部に挿通され、前記箱体内の前記供試体を操作するための棒状部材（１１）と、
前記棒状部材を弾性支持し、前記棒状部材の先端部（１１１）を前記供試体に対して直交３軸方向に相対的に移動自在とするとともに、前記箱体内の気密を保持する気密保持手段（例えば、シリンダ２１、メインパッキン２２、ベロフラム２３）と、
を備えることを特徴とする。
【０００７】
請求項２記載の発明は、例えば図７に示すように、
請求項１記載の環境試験用治具であって、
前記気密保持手段は、
前記棒状部材に貫通されるシリンダ（２１）と、
前記棒状部材と前記シリンダとの間の気密を保持するシール部材（例えば、メインパッキン２２）と、
内周端部（例えば、第一固定部４０１）が前記シリンダに気密固定されるとともに、外周端部（例えば、第二固定部４０３）が前記壁部に気密固定され、前記棒状部材の移動に応じて弾性変形するベロフラム（４０）と、
を備えることを特徴とする。
【０００８】
請求項３記載の発明は、例えば図２に示すように、
請求項１記載の環境試験用治具であって、
前記気密保持手段は、
前記棒状部材を弾性支持する弾性支持部（２０）と、
前記壁部に気密固定され、前記弾性支持部を支持する支持部（３０）と、
を備え、
前記棒状部材と前記弾性支持部との間及び前記弾性支持部と前記支持部との間の気密が保持されていることを特徴とする。
【０００９】
請求項４記載の発明は、
請求項３記載の環境試験用治具であって、
前記弾性支持部は、
前記棒状部材に貫通されるシリンダ（２１）と、
前記棒状部材と前記シリンダとの間の気密を保持するシール部材（例えば、メインパッキン２２）と、
内周端部が前記シリンダに気密固定されるとともに、外周端部が前記支持部に気密固定され、前記棒状部材の移動に応じて弾性変形するベロフラム（２３）と、
を備えることを特徴とする。
【００１０】
請求項５記載の発明は、
請求項２又は４記載の環境試験用治具であって、
前記シリンダは、
前記棒状部材を貫通させるための貫通孔（２１１ａ）を有する本体部（２１１）と、
前記本体部の内周面の一部が切り欠かれて形成され、前記シール部材を収容する切欠溝（２１２）と、
を備え、
前記切欠溝に収容された前記シール部材を押え付けて前記本体部に固定されるシール部材押え板（例えば、パッキン押え板２４）を備えることを特徴とする。
【００１１】
請求項６記載の発明は、
請求項１〜５の何れか一項に記載の環境試験用治具であって、
前記箱体の前記開口部に挿入されるとともに、前記棒状部材の前記先端部を移動自在に内包するスリーブ部材（例えば、スポンジゴム１２）を備えることを特徴とする。
【発明の効果】
【００１２】
請求項１記載の発明によれば、開口部に挿通され、箱体内の供試体を操作するための棒状部材と、棒状部材を弾性支持し、棒状部材の先端部を供試体に対して直交３軸方向に相対的に移動自在とするとともに、箱体内の気密を保持する気密保持手段とを備えるので、箱体内の気密が保持された状態で、ユーザが箱体の外部から棒状部材を操作することによって供試体の移動或いは操作を行うことができる。従って、箱体内の雰囲気的環境に影響を受けることなく、ユーザが供試体の操作を長時間行うことができる。
【００１３】
請求項２記載の発明によれば、請求項１記載の発明と同様の効果が得られるのは無論のこと、特に、気密保持手段は、棒状部材に貫通されるシリンダと、棒状部材とシリンダとの間の気密を保持するシール部材と、内周端部がシリンダに気密固定されるとともに、外周端部が壁部に気密固定され、棒状部材の移動に応じて弾性変形するベロフラムとを備えるので、棒状部材の移動方向に応じてベロフラムが弾性変形しながら棒状部材を弾性支持する。したがって、棒状部材の先端部のより微妙な操作が可能となる。
【００１４】
請求項３記載の発明によれば、請求項１記載の発明と同様の効果が得られるのは無論のこと、特に、気密保持手段は、棒状部材を弾性支持する弾性支持部と、壁部に気密固定され、弾性支持部を支持する支持部とを備え、棒状部材と弾性支持部との間及び弾性支持部と支持部との間の気密を保持するので、棒状部材をより安定した状態で操作することができる。
【００１５】
請求項４記載の発明によれば、請求項３記載の発明と同様の効果が得られるのは無論のこと、特に、弾性支持部は棒状部材に貫通されるシリンダと、棒状部材とシリンダとの間の気密を保持するシール部材と、内周端部がシリンダに気密固定されるとともに、外周端部が支持部に気密固定され、棒状部材の移動に応じて弾性変形するベロフラムとを備えるので、棒状部材の移動方向に応じてベロフラムが弾性変形しながら棒状部材を弾性支持する。したがって、棒状部材の先端部のより微妙な操作が可能となる。
【００１６】
請求項５記載の発明によれば、請求項２又は４記載の発明と同様の効果が得られるのは無論のこと、特に、シリンダは、棒状部材を貫通させる貫通孔を有する本体部と、本体部の内周面の一部が切り欠かれて形成され、シール部材を収容する切欠溝と、切欠溝に収容されたシール部材を押え付けて本体部に固定されるシール部材押え板とを備えるので、棒状部材を箱体外に引っ張った場合でもシール部材が切欠溝から外れることがない。
【００１７】
請求項６記載の発明によれば、請求項１〜５の何れか一項に記載の発明と同様の効果が得られるのは無論のこと、特に、箱体の開口部に挿入されるとともに、棒状部材の先端部を移動自在に内包するスリーブ部材を備えるので、箱体内の気密性を格段に向上させることができるとともに、棒状部材を安定して操作できる。
【発明を実施するための最良の形態】
【００１８】
以下、図を用いて本発明に係る環境試験用治具の実施の形態について詳細に説明する。
図１は、本発明に係る環境試験用治具を適用した複合環境加振機の断面側面図、図２は、図１の環境試験用治具の要部を拡大して示した断面側面図、図３は、図２の環境試験用治具の棒状部材を恒温槽内に押し込んだ状態を示す断面側面図、図４は、図２の環境試験用治具の棒状部材を恒温槽外に引っ張った状態を示す断面側面図である。
環境試験装置としての複合環境加振機１は、例えば、図１に示すように、箱体としての恒温槽２と、恒温槽２内に設けられる加振部３等を備え、恒温槽２の壁部４には環境試験用治具１０が着脱自在に取り付けられている。
【００１９】
恒温槽２は、内部空間を有する箱状体であって、該恒温槽２の壁部４には円形にくり貫かれた開口部５が形成されている。また、開口部５の上方には窓部６が設けられており、恒温槽２の外部から恒温槽２の内部を観察できるようになっている。恒温槽２内の温度及び湿度は所定の値に調整が可能である。
加振部３は、恒温槽２の下部に設けられており、供試体Ｓが載置され、供試体Ｓに振動を与える加振台３ａと、加振台３ａを振動させる加振力を発生させる振動発生機構部３ｂ等を備えている。
【００２０】
環境試験用治具１０は、図２に示すように、供試体Ｓを操作するための棒状部材１１と、棒状部材１１を弾性支持するとともに、恒温槽２内の気密を保持する気密保持手段としての弾性支持部２０及び支持部３０を備えている。
【００２１】
棒状部材１１は、恒温槽２の開口部５に挿入されるスポンジゴム１２を介して挿通されており、一端部に供試体Ｓを操作するための先端部１１１が、他端部にはユーザが掴む掴み部１１２が設けられている。即ち、先端部１１１が恒温槽２内に位置するとともに、掴み部１１２が恒温槽２外に位置するようになっており、恒温槽２内の供試体Ｓを先端部１１１で操作できるようになっている。また、環境試験用治具１０の取付け時には棒状部材１１が恒温槽２の壁部４に直交するように構成されている。
【００２２】
棒状部材１１は、供試体Ｓの移動或いは操作を行う部材であるため、例えば、アルミニウムにより構成され、中空部１１３を有している。また、棒状部材１１の掴み部１１２は、試験中の供試体Ｓの操作に伴う熱伝導を防ぐための断熱部材により構成されている。なお、棒状部材１１の先端部１１１は、供試体Ｓを操作し易い形状に加工されているものが好ましい。
【００２３】
スポンジゴム１２は、恒温槽２の開口部５に挿入されるとともに、棒状部材１１の先端部１１１を移動自在に内包するスリーブ部材として機能する。このスポンジゴム１２は、断熱性及び気密性を有するので、恒温槽２内の気密をより確実に保持できるようになっている。
【００２４】
弾性支持部２０は、恒温槽２外に設けられており、棒状部材１１に貫通されるシリンダ２１と、棒状部材１１とシリンダ２１との間の気密を保持するシール部材としてのメインパッキン２２と、内周端部がシリンダ２１に気密固定されるとともに、外周端部が支持部３０に気密固定されているベロフラム２３等を備えている。
【００２５】
シリンダ２１は、略円筒形状を成しており、棒状部材１１を貫通させる貫通孔２１１ａを有する本体部２１１と、本体部２１１の内周面の一部が切り欠かれて形成され、メインパッキン２２を収容する切欠溝２１２とから構成されている。シリンダ２１の本体部２１１には、切欠溝２１２に収容されるメインパッキン２２を押え付けるシール部材押え板としてのパッキン押え板２４が固定されている。
【００２６】
メインパッキン２２は、例えば、シリコンゴムにより構成されており、棒状部材１１の径より僅かに小さい径を有している。即ち、メインパッキン２２は、棒状部材１１に挿入されることにより、半径方向外方に弾性変形して、棒状部材１１の外周面に密着するようになっている。
【００２７】
また、メインパッキン２２は、棒状部材１１の外周面に密着した状態で、シリンダ２１の切欠溝２１２に収容されている。この切欠溝２１２の径は、メインパッキン２２の径より僅かに小さいので、メインパッキン２２は切欠溝２１２に押え付けられることとなり、シリンダ２１とメインパッキン２２との間の気密を保持できるようになっている。
【００２８】
パッキン押え板２４は、本体部２１１の貫通孔２１１ａとほぼ同径の孔部を有する円盤状の板である。このパッキン押え板２４は、シリンダ２１の切欠溝２１２に収容されているメインパッキン２２を押え付けて、本体部２１１にねじ固定されている。そして、棒状部材１１を恒温槽２外に引っ張ったときにメインパッキン２２が切欠溝２１２から外れないようになっている。即ち、シリンダ２１を手で固定しておいて、所定の力以上の力で棒状部材１１を押し込み動作或いは引っ張り動作を行うと、メインパッキン２２内を棒状部材１１がその動作方向へ摺動できるようになっている。
【００２９】
ベロフラム２３は、例えば、シリコンゴムにより構成されている。このベロフラム２３は、シリンダ２１の本体部２１１に気密固定される内周端部としての第一固定部２３１と、第一固定部２３１の周縁部から棒状部材１１の掴み部１１２側に対して折り返して形成される折り返し部２３２と、折り返し部２３２から外方に延在して、支持部３０に気密固定される外周端部としての第二固定部２３３とから一体的に構成されている。
ベロフラム２３の第一固定部２３１とシリンダ２１の本体部２１１とは、棒状部材１１の径よりやや大きい径を有する円盤状のシリンダ押え板２５を介してねじ固定されている。シリコンゴムは、耐熱性及び耐冷性を有する弾性体であるため、ベロフラム２３の材質として好適である。
【００３０】
このベロフラム２３は、例えば図３、図４に示すように、第一固定部２３１が移動するにつれて折り返し部２３２の長さが変化して、棒状部材１１がストローク移動できるようになっている。
即ち、棒状部材１１を所定の方向に移動させると、その移動に応じてベロフラム２３が弾性変形しながら棒状部材１１を弾性支持することにより、棒状部材１１の先端部１１１によって供試体Ｓの移動或いは操作を行うことができるようになっている。
【００３１】
支持部３０は、弾性支持部２０を支持するとともに、恒温槽２の壁部４に気密固定されている。この支持部３０は、略円盤状に形成され、中央部に孔部を有しているベロフラム支持部材３１と、ベロフラム支持部材３１の周縁部に設けられているスペーサ３２とから構成される。
具体的には、ベロフラム支持部材３１の一方の面の孔部近傍に、ベロフラム２３の第二固定部２３３が気密固定されている。この気密固定は、ベロフラム支持部材３１の径とほぼ同じ径を有する円盤状のベロフラム押え板２６によりベロフラム２３の第二固定部２３３を押え、ねじ固定することによりなされる。また、ベロフラム支持部材３１の他方の面の周縁部には、環状のスペーサ３２が気密固定されている。
【００３２】
スペーサ３２は、恒温槽２の開口部５の径とほぼ同じ大きさの径を有しており、サブパッキン３３でシールされてベロフラム支持部材３１に気密固定されている。また、スペーサ３２の壁部４側の面も、同様にサブパッキン３３でシールされており、恒温槽２内の気密を保持できるようになっている。このスペーサ３２を設けることによって、恒温槽２の壁部４にスポンジゴム１２を挿入した状態においても、棒状部材１１のストローク移動を確保できるようになっている。
【００３３】
サブパッキン３３は、例えば、シリコンゴムにより構成され、スペーサ３２の径とほぼ同じ大きさの径を有する環状のパッキンである。
そして、ベロフラム支持部材３１及びスペーサ３２を恒温槽２の壁部４とねじ固定することにより、支持部３０が恒温槽２の壁部４に気密固定されるようになっている。
【００３４】
上記のように環境試験用治具１０を構成することにより、棒状部材１１と弾性支持部２０との間及び弾性支持部２０と支持部３０との間の気密が保持されることとなる。
【００３５】
次に、上記構成の環境試験用治具１０を取り付けた複合環境加振機１を用いて行う複合環境試験の一例について詳細に説明する。
先ず、環境試験用治具１０の棒状部材１１を、スポンジゴム１２に貫通させておく。次いで、複合環境加振機１の恒温槽２の壁部４に装着されている開口部５のカバー（図示省略）を取り外す。次いで、恒温槽２の壁部４の開口部５に、環境試験用治具１０を取り付ける。
【００３６】
具体的には、先ず、棒状部材１１が貫通しているスポンジゴム１２を、開口部５に挿入させる。次いで、環境試験用治具１０のベロフラム支持部材３１及びスペーサ３２と、壁部４とをねじ止めする。スペーサ３２の両側にはサブパッキン３３がシールされているので、このねじ止めによってスペーサ３２と壁部４との間の気密は保持される。そして、恒温槽２内を所定の温度、湿度になるよう調節して、所定の雰囲気的環境に設定するとともに、振動発生機構部３ｂによる加振台３ａの振動の物理的環境試験を組み合わせて複合環境試験を行う。
【００３７】
ユーザは、複合環境加振機１によって試験を実施する際に、例えば、供試体Ｓを移動させたり、何らかの操作を加える必要がある場合、加振部３による加振を停止させてから、環境試験用治具１０によって、供試体Ｓの移動或いは操作を行う。
このとき、ユーザは、棒状部材１１の掴み部１１２を掴み、恒温槽２の窓部６越しに恒温槽２内の供試体Ｓを確認しながら、棒状部材１１の先端部１１１を手操作で所望の方向へ移動させることにより、供試体Ｓの移動或いは操作を行う。
【００３８】
例えば、棒状部材１１を恒温槽２内に押し込むと、図３に示すように、押し込み動作に伴って、棒状部材１１を支持しているシリンダ２１がその押し込み方向へ移動するので、シリンダ２１が固定されているベロフラム２３の第一固定部２３１が押し込み方向へ移動する。即ち、折り返し部２３２の長さは短くなる。また、スポンジゴム１２も棒状部材１１の押し込み動作に応じて弾性変形する。
【００３９】
逆に、棒状部材１１を恒温槽２外に引っ張ると、図４に示すように、引っ張り動作に伴って、棒状部材１１を支持しているシリンダ２１がその引っ張り方向へ移動するので、シリンダ２１が固定されているベロフラム２３の第一固定部２３１が引っ張り方向へ移動する。即ち、折り返し部２３２の長さは長くなる。また、スポンジゴム１２も棒状部材１１の引っ張り動作に応じて弾性変形する。つまり、この棒状部材１１の押し込み及び引っ張り動作によって、ユーザから見て棒状部材１１の先端部１１１が供試体Ｓに対して前後方向に移動することとなる。
【００４０】
また、例えば図５に示すように、棒状部材１１を傾斜させて、先端部１１１を供試体Ｓのより下方に接触させて、供試体Ｓの移動或いは操作を行う。このとき、ベロフラム２３の折り返し部２３２及びスポンジゴム１２は、その傾斜動作に伴って弾性変形する。なお、逆に棒状部材１１の先端部１１１を供試体Ｓの上方に接触させることも無論可能である。つまり、棒状部材１１の傾斜動作によって、ユーザから見て棒状部材１１の先端部１１１が供試体Ｓに対して上下方向に移動することとなる。
【００４１】
また、棒状部材１１を恒温槽２の壁部４に直交する平面内を移動させて、棒状部材１１の先端部１１１を所望の位置に移動させて、供試体Ｓの移動或いは操作を行う。このとき、ベロフラム２３の第一固定部２３１及びスポンジゴム１２がその移動動作に伴って弾性変形する。つまり、棒状部材１１の移動動作によって、ユーザから見て棒状部材１１の先端部１１１が供試体Ｓに対して左右方向に移動することとなる。
【００４２】
さらに、必要に応じて、上述した棒状部材１１の移動動作を組み合わせて、供試体Ｓの移動或いは操作を行う。
例えば、棒状部材１１を供試体Ｓに対して前後方向に移動させながら、上下方向に傾斜させることも可能である。また、棒状部材１１を供試体Ｓに対して上下方向に傾斜させながら、左右方向に移動させることも可能である。また、棒状部材１１を供試体Ｓに対して左右方向に移動させながら、前後方向に移動させることも可能である。
【００４３】
このように、棒状部材１１の移動に応じて、棒状部材１１を弾性支持しているベロフラム２３が弾性変形するので、棒状部材１１の先端部１１１を供試体Ｓに対して、前後方向、左右方向、上下方向に移動させることが可能である。即ち、供試体Ｓに対して直交３軸方向に、相対的に移動可能であるといえる。
【００４４】
また、環境試験用治具１０を複合環境加振機１に取り付けた後、環境試験用治具１０の操作前における棒状部材１１の位置を変えたい場合には、環境試験用治具１０のシリンダ２１を手で動かないように固定しておいて、棒状部材１１を恒温槽２内に所定の力以上の力で押し込む或いは恒温槽２外に引っ張る操作をする。この押し込み或いは引っ張り動作によって、メインパッキン２２内を棒状部材１１がその動作方向に摺動する。そして、棒状部材１１を所望の位置まで摺動させたら、押し込み或いは引っ張り動作を止めて、図６に示すようにその摺動後の位置でメインパッキン２２を棒状部材１１に密着させる。
【００４５】
棒状部材１１の先端部１１１で供試体Ｓの移動或いは操作を行った後に、再度供試体Ｓに対して加振部３によって加振を付与し、複合環境試験を続行する。
複合環境試験終了後は、環境試験用治具１０の支持部３０と、恒温槽２の壁部４とのねじ固定を解除し、次いで棒状部材１１が貫通しているスポンジゴム１２を恒温槽２の開口部５から取り外す。そして、開口部５にカバーを装着して、次回の環境試験に備える。
【００４６】
以上説明した環境試験用治具１０によれば、恒温槽２外に設けられる弾性支持部２０と、弾性支持部２０を支持するとともに、恒温槽２の壁部４に気密固定される支持部３０とを備え、弾性支持部２０は、棒状部材１１に貫通されるシリンダ２１と、棒状部材１１とシリンダ２１との間の気密を保持するメインパッキン２２と、内周端部がシリンダ２１の本体部２１１に気密固定されるとともに、外周端部がベロフラム支持部材３１に気密固定され、棒状部材１１の移動に応じて弾性変形するベロフラム２３とを備えているので、複合環境加振機１の恒温槽２内の気密を保持しつつ、ユーザが棒状部材１１を操作して、供試体Ｓを容易に移動させたり操作させたりできる。従って、恒温槽２内の雰囲気的環境に影響を受けることなく、ユーザが恒温槽２内の供試体Ｓの操作を長時間行うことができる。
【００４７】
また、棒状部材１１の移動方向に応じてベロフラム２３が弾性変形しながら棒状部材１１を弾性支持するので、棒状部材１１の先端部１１１のより微妙な操作が可能となる。
また、弾性支持部２０は、壁部４に気密固定されている支持部３０に支持されているので、棒状部材１１をより安定して操作することができる。
【００４８】
また、シリンダ２１は、棒状部材１１を貫通させるための貫通孔２１１ａを有する本体部２１１と、本体部２１１の内周面の一部が切り欠かれて形成され、メインパッキン２２を収容する切欠溝２１２を備えており、切欠溝２１２に収容されたメインパッキン２２はパッキン押え板２４により押し付けられてねじ固定されているので、棒状部材１１を恒温槽２外に引っ張った場合でもメインパッキン２２が切欠溝２１２から外れることがない。
また、恒温槽２の開口部５には、スポンジゴム１２が挿入されているので、棒状部材１１を安定した状態で操作できるとともに、恒温槽２内の気密性を格段に向上させることができる。
【００４９】
（変形例）
図７は、図１の環境試験用治具１０の変形例の要部を拡大して示した断面側面図である。図７に示す環境試験用治具１００は、複合環境加振機１の恒温槽２の壁部４に、棒状部材１１を弾性支持するベロフラム４０が気密固定されている。
【００５０】
ベロフラム４０は、図２に示す環境試験用治具１０のベロフラム２３とほぼ同様の構成を成しており、シリンダ２１の本体部２１１に気密固定される内周端部としての第一固定部４０１と、第一固定部４０１の周縁部から棒状部材１１の掴み部１１２側に対して折り返して形成される折り返し部４０２と、折り返し部４０２から外方に延在して、壁部４に気密固定される外周端部としての第二固定部４０３とから一体的に構成されている。
【００５１】
具体的には、ベロフラム４０の第二固定部４０３の一端部から他端部までの長さが、壁部４の開口部５の径より大きく形成されており、その第二固定部４０３の端部がベロフラム押え板２６により壁部４に気密固定されている。即ち、ベロフラム４０を支持する支持部を設けることなく、ベロフラム４０を直接壁部４に気密固定している点で、環境試験用治具１０と異なっている。また、棒状部材１１のストローク移動を確保するため、壁部４の開口部５にスポンジゴム１２は挿入されていない。なお、環境試験用治具１０と同様の構成、動作については同一の符号を付し、詳細な説明を省略する。
【００５２】
環境試験用治具１００は、例えば、棒状部材１１をユーザの前方向に移動させた場合は、ベロフラム４０の第一固定部４０１がその方向に移動し、恒温槽２の開口部５内をベロフラム４０の折り返し部４０２の内側が移動することとなる。即ち、開口部５が空間となっているので、ベロフラム４０は棒状部材１１の移動に応じてその開口部５内で弾性変形できるようになっている。即ち、環境試験用治具１００においては、シリンダ２１、メインパッキン２２、ベロフラム４０が気密保持手段として機能することとなる。
【００５３】
この環境試験用治具１００によれば、恒温槽２の壁部４とベロフラム４０を直接気密固定して、部品点数を最小限にすることにより、コストを抑えることができる。また、その他にも環境試験用治具１０と同様の効果が得られる。
【００５４】
なお、本発明に係る環境試験用治具は、上述した実施形態に限られるものではない。上記実施例においては、環境試験用治具を複合環境加振機に適用しているが、これに限るものではなく、内部に配置された供試体に所定の温度環境及湿度環境のうち、少なくとも何れか一方を付与可能な箱体を備え、該箱体の壁部に開口部を有する環境試験装置であれば適用することができる。
【００５５】
また、上記実施形態においては、恒温槽の開口部にスポンジゴムを挿入することに伴って、支持部にスペーサを設けて、棒状部材のストローク移動を確保しているが、スペーサを設ける代わりに、スポンジゴムの一部を切り欠いて、棒状部材のストローク移動を確保して、棒状部材を供試体方向に移動させることも可能である。
その他、支持部やスペーサ等の孔部の径、恒温槽の開口部の大きさや、メインパッキンの気密固定の仕方、環境試験用治具を複合環境加振機に取り付ける工程の順序についても、本発明の趣旨を逸脱しない範囲で適宜変更可能である。
【図面の簡単な説明】
【００５６】
【図１】本発明に係る環境試験用治具を適用した複合環境加振機の断面側面図である。
【図２】図１の環境試験用治具の要部を拡大して示した断面側面図である。
【図３】図２の環境試験用治具の棒状部材を恒温槽内に押し込んだ状態を示す断面側面図である。
【図４】図２の環境試験用治具の棒状部材を恒温槽外に引っ張った状態を示す断面側面図である。
【図５】図１の環境試験用治具の棒状部材を傾斜させた状態を示す断面側面図である。
【図６】図１の環境試験用治具の棒状部材の位置を移動させた状態を示す断面側面図である。
【図７】図１の環境試験用治具の変形例の要部を拡大して示した断面側面図である。
【符号の説明】
【００５７】
１  複合環境加振機（環境試験装置）
２  恒温槽（箱体）
４  壁部
５  開口部
１０  環境試験用治具
１１  棒状部材
１２  スポンジゴム（スリーブ部材）
２０  弾性支持部
２１  シリンダ（気密保持手段）
２２  メインパッキン（気密保持手段、シール部材）
２３  ベロフラム（気密保持手段）
２４  パッキン押え板（シール部材押え板）
３０  支持部
４０  ベロフラム（気密保持手段）
１００  環境試験用治具
１１１  先端部
２１１  本体部
２１１ａ  貫通孔
２１２  切欠溝
２３１  第一固定部（内周端部）
２３３  第二固定部（外周端部）
４０１  第一固定部（内周端部）
４０３  第二固定部（外周端部）
Ｓ  供試体
【図１】
2005127838.tif 000003
【図２】
2005127838.tif 000004
【図３】
2005127838.tif 000005
【図４】
2005127838.tif 000006
【図５】
2005127838.tif 000007
【図６】
2005127838.tif 000008
【図７】
2005127838.tif 000009